(57)【特許請求の範囲】
【請求項１】
被検体内に超音波を送受信し、被検体内からの反射波を受信して超音波受信信号の整相処理を行い、この整相処理をした信号を用いて超音波断層像を構成し、且つ上記整相処理をした信号を用いて超音波受信信号のドプラ偏移成分を演算して血流の二次元動態を求め、この求めた血流の二次元動態の信号を用いて二次元の血流像を構成すると共にこの二次元血流像と上記超音波断層像との一方又は両者を出力し、この出力信号を画像として表示する超音波ドプラ血流計であって、前記演算したドプラ偏移成分が血流或いは生体組織の動きによって生じたものかを判別する判別手段と、前記判別手段により、前記ドプラ偏移成分が血流によって生じたと判別された場合は血流像として表示し、前記ドプラ偏移成分が生体組織の動きによって生じたと判別された場合は血流像として表示しないように制御する手段を設け、
前記判別手段は、血流の二次元動態を演算する際の血流情報を用いて、画面毎の血流強度情報を差分した差分演算結果又は血流分散情報を差分した差分演算結果が所定のしきい値より小さいか或いは大きいかにより、前記血流、或いは前記生体組織の動きによって生じた前記ドプラ偏移成分であることを判別することを特徴とする超音波ドプラ血流計。
【発明の詳細な説明】
【０００１】
【発明の属する技術分野】
本発明は、被検体内に超音波を送受信し超音波ドプラ効果を利用して血流の二次元動態を求め、被検体内の二次元の血流像を表示する超音波ドプラ血流計に関し、特に、血流によって生じたドプラ偏移成分と生体組織の動きによって生じたドプラ偏移成分とを判別し、血流によって生じたドプラ偏移成分のみを血流像として表示することができる超音波ドプラ血流計に関する。
【０００２】
【従来の技術】
従来のこの種の超音波ドプラ血流計は、例えば特開昭６１−１９１３４６号公報に記載されているように、複数の振動子チャンネルを有し被検体に超音波の送受信を行う探触子と、この探触子を駆動して複数チャンネルの超音波を送信すると共に被検体内からの複数チャンネルの反射波を受信して超音波受信信号を生成する超音波送受信系と、この超音波送受信系からの超音波受信信号を入力して断層像として再構成する断層像表示回路系と、上記超音波送受信系からの超音波受信信号を入力して該超音波受信信号のドプラ偏移成分を演算する血流情報演算回路と、この血流情報演算回路からの出力を記憶する血流像記憶回路と、この血流像記憶回路から出力される血流情報を用いて二次元の断層像として血流断層像を再構成し、さらに、上記断層像表示回路系からの断層像情報を用いて表示装置に断層像と血流断層像とを表示させるための血流像表示回路系と、この血流像表示回路系からの画像信号を入力して断層像と血流断層像とを表示する表示装置とを備えて成っていた。
【０００３】
【発明が解決しようとする課題】
しかし、このような従来の超音波ドプラ血流計においては、血流情報演算回路に設けられたＭＴＩ(MovingTarget Indication)フィルタ等を用いて、呼吸等によって生じた被検体内の臓器の動きにより生じた不要なドプラ偏移成分を取り除くように工夫はしていたが、血流によって生じたドプラ偏移成分と生体組織の動きによって生じたドプラ偏移成分とを判別していなかったので、血流によってドプラ偏移を受けた信号成分のみならず、呼吸等によって生じた被検体内の臓器の動きにより生じた不要なドプラ偏移成分まで、血流像として画像表示されるものであった。したがって、超音波ドプラ血流計の使用者は、表示された血流像を見ただけでは、血流によって生じたドプラ偏移成分と生体組織の動きによって生じたドプラ偏移成分とを弁別することができず、生体内血流動向の観察が困難であった。このことから、診断能が低下することがあった。
【０００４】
そこで、本発明は、このような問題点に対処し、血流によって生じたドプラ偏移成分と生体組織の動きによって生じたドプラ偏移成分とを判別し、血流によって生じたドプラ偏移成分のみを血流像として表示することができる超音波ドプラ血流計を提供することを目的とする。
【０００５】
【課題を解決するための手段】
上記目的を達成するために、本発明による超音波ドプラ血流計は、被検体内に超音波を送受信し、被検体内からの反射波を受信して超音波受信信号の整相処理を行い、この整相処理をした信号を用いて超音波断層像を構成し、且つ上記整相処理をした信号を用いて超音波受信信号のドプラ偏移成分を演算して血流の二次元動態を求め、この求めた血流の二次元動態の信号を用いて二次元の血流像を構成すると共にこの二次元血流像と上記超音波断層像との一方又は両者を出力し、この出力信号を画像として表示する超音波ドプラ血流計であって、前記演算したドプラ偏移成分が血流或いは生体組織の動きによって生じたものかを判別する判別手段と、前記判別手段により、前記ドプラ偏移成分が血流によって生じたと判別された場合は血流像として表示し、前記ドプラ偏移成分が生体組織の動きによって生じたと判別された場合は血流像として表示しないように制御する手段を設け、前記判別手段は、血流の二次元動態を演算する際の血流情報を用いて、画面毎の血流強度情報を差分した差分演算結果又は血流分散情報を差分した差分演算結果が所定のしきい値より小さいか或いは大きいかにより、前記血流、或いは前記生体組織の動きによって生じた前記ドプラ偏移成分であることを判別することを特徴とするものである。
【０００７】
【発明の実施の形態】
以下、本発明の実施の形態を添付図面に基づいて説明する。
図１は本発明による超音波ドプラ血流計の実施の形態を示すブロック図である。この超音波ドプラ血流計は、被検体内に超音波を送受信し超音波ドプラ効果を利用して血流の二次元動態を求め、被検体内の二次元の血流像を表示するもので、図１に示すように、探触子１と、超音波送受信回路系２と、断層像表示回路系３と、血流演算回路系４と、血流像表示回路系５と、画像表示器６とを有して成る。
【０００８】
上記探触子１は、被検体内の診断部位に超音波を送受信するもので、その内部には実際に超音波を打ち出すと共に診断部位からの反射波を受信する複数の振動子を有している。超音波送受信回路系２は、上記探触子１を駆動して超音波の送受信を行うと共に該探触子１で受信した超音波受信信号の整相処理を行うもので、その内部には送波回路及び受波回路並びに整相回路等を有している。
【０００９】
断層像表示回路系３は、上記超音波送受信回路系２からの出力信号を用いて超音波断層像を構成するものである。また、血流演算回路系４は、上記超音波送受信回路系２からの出力信号を用いて超音波受信信号のドプラ偏移成分を演算して血流の二次元動態を求めるもので、上記ドプラ偏移成分の血流速度情報及び血流強度情報並びに血流分散情報等の血流情報を用いて血流の二次元動態を演算するようになっている。
【００１０】
血流像表示回路系５は、上記血流演算回路系４の出力信号を用いて二次元の血流像を構成すると共にこの二次元血流像と上記断層像表示回路系３からの超音波断層像との一方又は両者を出力するもので、その出力信号を後述の画像表示器６に送出するようになっている。また、画像表示器６は、上記血流像表示回路系５からの出力信号を画像として表示するもので、例えばテレビモニタから成る。
【００１１】
ここで、本発明においては、上記血流像表示回路系５は、上記血流演算回路系４で演算したドプラ偏移成分が血流によって生じたものか或いは生体組織の動きによって生じたものかを判別し、血流によって生じたドプラ偏移成分と判別した場合は血流像として表示し、生体組織の動きによって生じたドプラ偏移成分と判別した場合は血流像として表示しないように制御する手段に構成されており、図１に示すように、血流像メモリ回路７と、血流判別回路系８と、エンコーダ回路９と、画像選択回路１０とを有して成る。
【００１２】
上記血流像メモリ回路７は、前記血流演算回路系４からの出力信号を複数画面分保持するためのもので、該血流演算回路系４からの出力信号が例えば血流速度情報、血流強度情報、血流分散情報からなる場合は、それぞれ複数画面分の血流速度情報メモリ回路７ａと、血流強度情報メモリ回路７ｂと、血流分散情報メモリ回路７ｃとを備えており、各々のメモリ回路７ａ，７ｂ，７ｃに順次血流情報が格納されるようになっている。
【００１３】
血流判別回路系８は、上記血流像メモリ回路７の出力信号を用いて、前記血流演算回路系４で演算したドプラ偏移成分が血流によって生じたものか或いは生体組織の動きによって生じたものかを判別するもので、その内部構成は図２に示すように、血流判別回路１１と、血流強度情報平均化回路１２と、血流速度情報平均化回路１３と、血流分散情報平均化回路１４と、ＡＮＤゲート１５ａ，１５ｂ，１５ｃとから成る。
【００１４】
上記血流判別回路１１は、複数画面の血流強度情報メモリ回路７ｂ又は血流分散情報メモリ回路７ｃの出力の任意の画素の血流強度情報又は血流分散情報の比較を行うもので、画面毎の血流強度情報又は血流分散情報の差分演算結果或いは血流強度情報又は血流分散情報そのものが予め設定した所定のしきい値より小さければ、その画素の血流情報は血流によりドプラ偏移を受けたと判別し、所定のしきい値より大きければ、その画素の血流情報は生体組織の動きによりドプラ偏移を受けたと判別するようになっている。なお、図２は、血流強度情報メモリ回路７ｂからの血流強度情報について演算する場合のみが記載され、血流分散情報について演算する場合は図示省略されている。
【００１５】
上記血流強度情報平均化回路１２は、血流判別回路１１にて血流によりドプラ偏移を受けたと判別したときに血流画像の画面間の時間的なつながりの改善を図るために血流強度情報メモリ回路７ｂからの血流強度情報について画面間の平均化処理を行うものである。また、血流速度情報平均化回路１３は、同じく血流速度情報メモリ回路７ａからの血流速度情報について画面間の平均化処理を行うものである。さらに、血流分散情報平均化回路１４は、同じく血流分散情報メモリ回路７ｃからの血流分散情報について画面間の平均化処理を行うものである。
【００１６】
上記第一のＡＮＤゲート１５ａは、上記血流判別回路１１からの出力信号と血流強度情報平均化回路１２からの出力信号とのＡＮＤをとるものであり、第二のＡＮＤゲート１５ｂは、上記血流判別回路１１からの出力信号と血流速度情報平均化回路１３からの出力信号とのＡＮＤをとるものであり、第三のＡＮＤゲート１５ｃは、上記血流判別回路１１からの出力信号と血流分散情報平均化回路１４からの出力信号とのＡＮＤをとるものである。そして、上記各ＡＮＤゲート１５ａ，１５ｂ，１５ｃの出力信号は、エンコーダ回路９へ送出される。
【００１７】
また、エンコーダ回路９は、上記血流判別回路系８からの出力信号を用いて、血流情報に応じた色相に変換して血流像の信号を出力するものである。さらに、画像選択回路１０は、上記エンコーダ回路９からの血流像の信号と前記断層像表示回路系３からの断層像の信号とを用いて、この両者のうち一方を選択したり或いは両者を重ね合わせて出力して、表示する画像を選択するものである。
【００１８】
次に、上記のように構成された血流像表示回路系５の血流判別回路系８の動作について、図３を参照して説明する。ここでは、簡単のために、血流強度情報に基づいた血流判別方法のみについて説明する。いま、図３に示すように、血流強度情報メモリ回路７ｂは、（ａ）〜（ｃ）のように３画面分の血流情報を格納し、これらの情報を基に（ｄ）のように血流判別処理と、（ｅ）のように血流情報平均化処理を行うものとする。なお、図３においては、血流強度情報のフルスケールを「１００」としている。
【００１９】
まず、図２において、血流判別回路１１では、任意の画素において血流強度情報メモリ回路７ｂに蓄えられている血流強度情報のうち，図３（ｂ）に示す中間フレームの画面の血流強度情報Ｄ2と、図３（ａ），（ｃ）に示す前後のフレームの画面の血流強度情報Ｄ1，Ｄ3との差が、血流強度情報のフルスケールに対し１／２以上の差があった場合、又は、中間フレームの画面の血流強度情報Ｄ2が上記フルスケールに対して２／３以上となった場合は、当該画素の血流情報は、生体組織の動きによって生じたドプラ偏移成分であると判断する。それとは逆に、中間フレームの画面の血流強度情報Ｄ2と前後のフレームの画面の血流強度情報Ｄ1，Ｄ3との差が、血流強度情報のフルスケールに対し１／２より小さい場合、又は、中間フレームの画面の血流強度情報Ｄ2が上記フルスケールに対して２／３より小さい場合は、当該画素の血流情報は、血流によって生じたドプラ偏移成分であると判断する。
【００２０】
そして、任意の画素において、血流によってドプラ偏移を受けた信号と判断されたならば、当該画素での血流判別回路１１の出力を「１」とすることにより、血流判別回路系８の出力段のＡＮＤゲート１５ａ，１５ｂ，１５ｃは、それぞれ血流強度情報平均化回路１２、血流速度情報平均化回路１３、血流分散情報平均化回路１４の出力信号をそのまま図１に示すエンコーダ回路９へ送出し、血流情報が画像選択回路１０を介して画像表示器６へ送られ、当該画素にて血流像として画像表示器６に表示される。
【００２１】
一方、任意の画素において、生体組織の動きによってドプラ偏移を受けた信号と判断されたならば、当該画素での血流判別回路１１の出力を「０」とすることにより、血流判別回路系８の出力段のＡＮＤゲート１５ａ，１５ｂ，１５ｃの出力が「０」となり、図１に示すエンコーダ回路９にはゼロデータが送出され、このゼロデータが画像選択回路１０を介して画像表示器６へ送られて、当該画素では血流像が画像表示器６に表示されないことになる。
【００２２】
さらに具体的に説明すると、図３において、時刻ｔ２，ｔ３では、（ｂ）に示す中間フレームの画面の血流強度情報Ｄ2と、（ａ），（ｃ）に示す前後のフレームの画面の血流強度情報Ｄ1又はＤ3との差がそれぞれ「６０」であり、血流強度情報のフルスケール「１００」に対し１／２以上の差があるため、生体組織の動きによってドプラ偏移を受けた信号と判断して、（ｄ）に示すように血流判別回路１１の出力をそれぞれ「０」とし、他の時刻ｔ６では、（ｂ）に示す中間フレームの画面の血流強度情報Ｄ2が「７０」であり、血流強度情報のフルスケール「１００」に対し２／３以上となるため、同じく血流判別回路１１の出力を「０」とする。それ以外の時刻においては、血流によってドプラ偏移を受けた信号と判断して、（ｄ）に示すように血流判別回路１１の出力を「１」とする。これにより、（ｅ）に示すように、血流強度情報平均化回路１２は、血流情報の平均化処理を行って出力する。
【００２３】
このような、血流強度情報に基づいた血流判別方法と同様にして、血流分散情報に基づいた血流判別を行い、或いは血流強度情報及び血流分散情報の両者を組み合わせた血流判別を行うことも可能である。
【００２４】
図４は、本発明の第二の実施形態を示すブロック図である。この実施形態は、血流像表示回路系５の内部構成において、血流像メモリ回路７と血流判別回路系８とを入れ換え、血流判別回路系８の出力を１画面分だけ血流像メモリ回路７で保持し、上記血流判別回路系８で前記血流演算回路系４からの出力と上記血流像メモリ回路７からの出力を用いて、血流によってドプラ偏移を受けた信号か或いは生体組織の動きによってドプラ偏移を受けた信号かを判別するようにしたものである。
【００２５】
ここで、上記血流像メモリ回路７は、後述の血流判別回路系８からの出力信号を１画面分保持するためのもので、前記血流演算回路系４からの出力信号が例えば血流速度情報、血流強度情報、血流分散情報からなる場合は、それぞれ血流速度情報メモリ回路７ａと、血流強度情報メモリ回路７ｂと、血流分散情報メモリ回路７ｃとを備えており、各々のメモリ回路７ａ，７ｂ，７ｃに順次血流情報が格納されるようになっている。
【００２６】
また、血流判別回路系８は、前記血流演算回路系４からの出力と上記血流像メモリ回路７からの出力を用いて、血流によってドプラ偏移を受けた信号か或いは生体組織の動きによってドプラ偏移を受けた信号かを判別するためのもので、その内部構成は図５に示すように、血流判別回路１１と、血流強度情報移動平均化回路１２′と、血流速度情報移動平均化回路１３′と、血流分散情報移動平均化回路１４′と、ＡＮＤゲート１５ａ，１５ｂ，１５ｃとから成る。
【００２７】
上記血流判別回路１１は、血流演算回路系４からの血流強度情報の出力と、血流強度情報メモリ回路７ｂの出力の任意の画素の血流強度情報との比較を行い、又は、血流演算回路系４からの血流分散情報の出力と、血流分散情報メモリ回路７ｃの出力の任意の画素の血流分散情報との比較を行うもので、上記血流演算回路系４及び血流強度情報メモリ回路７ｂからの血流強度情報又は血流演算回路系４及び血流分散情報メモリ回路７ｃからの血流分散情報の差分演算結果、或いはそれぞれの血流強度情報又は血流分散情報そのものが予め設定した所定のしきい値より小さければ、その画素の血流情報は血流によりドプラ偏移を受けたと判別し、所定のしきい値より大きければ、その画素の血流情報は生体組織の動きによりドプラ偏移を受けたと判別するようになっている。なお、図５は、血流演算回路系４及び血流強度情報メモリ回路７ｂからの血流強度情報について演算する場合のみが記載され、血流分散情報について演算する場合は図示省略されている。
【００２８】
上記血流強度情報移動平均化回路１２′は、血流判別回路１１にて血流によりドプラ偏移を受けたと判別したときに血流画像の画面間の時間的なつながりの改善を図るために血流強度情報メモリ回路７ｂからの血流強度情報について画面間の移動平均化処理を行うものである。また、血流速度情報移動平均化回路１３′は、同じく血流速度情報メモリ回路７ａからの血流速度情報について画面間の移動平均化処理を行うものである。さらに、血流分散情報移動平均化回路１４′は、同じく血流分散情報メモリ回路７ｃからの血流分散情報について画面間の移動平均化処理を行うものである。
【００２９】
ここで、上記各移動平均化回路１２′，１３′，１４′は、次のように動作する。まず、任意の画素の情報が血流によりドプラ偏移を受けた成分であると判別されたならば、次の式（１）に基づいて移動平均化処理を行う。
Ｄout＝α×Ｄnew＋(１−α)×Ｄold  …（１）
但し、Ｄout：移動平均化処理の出力
Ｄnew：血流演算回路系４の出力
Ｄold：血流像メモリ回路７の出力
α：重み付け係数（０≦α≦１）
次に、任意の画素の情報が生体組織の動きによりドプラ偏移を受けた成分であると判別されたならば、次の式（２）のように、移動平均化処理の出力をゼロとする。
Ｄout＝０  …（２）
そして、この場合は、画像表示器６に血流情報を表示しないこととなる。
【００３０】
さらに、血流情報の移動平均化処理は、上記の血流強度情報による血流判別において、任意の画素の血流情報が血流によりドプラ偏移を受けたと判別した場合、上記血流像メモリ回路７の出力の移動平均値を演算するものであり、前記式（１）において、α＝０.５と仮定すればよい。
【００３１】
上記第一のＡＮＤゲート１５ａは、上記血流判別回路１１からの出力信号と血流強度情報移動平均化回路１２′からの出力信号とのＡＮＤをとるものであり、そのＡＮＤをとった血流強度情報の出力は前記血流強度情報メモリ回路７ｂへ送出される。第二のＡＮＤゲート１５ｂは、上記血流判別回路１１からの出力信号と血流速度情報移動平均化回路１３′からの出力信号とのＡＮＤをとるものであり、そのＡＮＤをとった血流速度情報の出力は前記血流速度情報メモリ回路７ａへ送出される。第三のＡＮＤゲート１５ｃは、上記血流判別回路１１からの出力信号と血流分散情報移動平均化回路１４′からの出力信号とのＡＮＤをとるものであり、そのＡＮＤをとった血流分散情報の出力は前記血流分散情報メモリ回路７ｃへ送出される。
【００３２】
そして、図４において、エンコーダ回路９は、上記血流像メモリ回路７からの出力信号を用いて、血流情報に応じた色相に変換して血流像の信号を出力するものである。
【００３３】
次に、上記のように構成された血流像表示回路系５の血流判別回路系８の動作について、図６を参照して説明する。ここでは、簡単のために、血流強度情報に基づいた血流判別方法のみについて説明する。いま、図６において、血流判別回路１１には、（ａ）に示す血流演算回路系４からの血流強度情報の出力Ｄ0と、（ｂ）に示す血流強度情報メモリ回路７ｂの血流強度情報の出力Ｄ4とが入力し、これらの情報を基に（ｃ）のように血流判別処理と、（ｄ）のように血流情報の移動平均化処理を行うものとする。なお、図６においては、血流強度情報のフルスケールを「１００」としている。
【００３４】
上記血流判別回路１１では、任意の画素において、血流演算回路系４からの血流強度情報の出力Ｄ0と血流強度情報メモリ回路７ｂに蓄えられている血流強度情報の出力Ｄ4との差が、血流強度情報のフルスケールの１／２以上あった場合、又は血流演算回路系４の血流強度情報がフルスケールの２／３以上となった場合は、当該画素の血流情報は、生体組織の動きによりドプラ偏移を受けた成分であると判別する。それとは逆に、血流演算回路系４からの血流強度情報の出力Ｄ0と血流強度情報メモリ回路７ｂに蓄えられている血流強度情報の出力Ｄ4との差が、血流強度情報のフルスケールに対し１／２より小さい場合、又は血流演算回路系４の血流強度情報がフルスケールの２／３より小さい場合は、当該画素の血流情報は、血流によって生じたドプラ偏移成分であると判断する。
【００３５】
そして、任意の画素において、血流によってドプラ偏移を受けた信号と判断されたならば、当該画素での血流判別回路１１の出力を「１」とすることにより、血流判別回路系８の出力段のＡＮＤゲート１５ａ，１５ｂ，１５ｃは、それぞれ血流強度情報移動平均化回路１２′、血流速度情報移動平均化回路１３′、血流分散情報移動平均化回路１４′の出力信号をそのまま図４に示す血流像メモリ回路７へ送出し、血流情報がエンコーダ回路９及び画像選択回路１０を介して画像表示器６へ送られ、当該画素にて血流像として画像表示器６に表示される。
【００３６】
一方、任意の画素において、生体組織の動きによってドプラ偏移を受けた信号と判断されたならば、当該画素での血流判別回路１１の出力を「０」とすることにより、血流判別回路系８の出力段のＡＮＤゲート１５ａ，１５ｂ，１５ｃの出力が「０」となり、図４に示す血流像メモリ回路７にはゼロデータが送出され、このゼロデータがエンコーダ回路９及び画像選択回路１０を介して画像表示器６へ送られて、当該画素では血流像が画像表示器６に表示されないことになる。
【００３７】
さらに具体的に説明すると、図６において、時刻ｔ２では、（ａ）に示す血流演算回路系４の血流強度情報の出力Ｄ0と、（ｂ）に示す血流強度情報メモリ回路７ｂの血流強度情報の出力Ｄ4との差が「６１」であり、血流強度情報のフルスケール「１００」に対し１／２以上の差があるため、生体組織の動きによってドプラ偏移を受けた信号と判断して、（ｃ）に示すように血流判別回路１１の出力を「０」とし、他の時刻ｔ５では、（ａ）に示す血流演算回路系４の血流強度情報の出力Ｄ0が「７０」であり、血流強度情報のフルスケール「１００」に対し２／３以上となるため、同じく血流判別回路１１の出力を「０」とする。それ以外の時刻においては、血流によってドプラ偏移を受けた信号と判断して、（ｃ）に示すように血流判別回路１１の出力を「１」とする。これにより、（ｄ）に示すように、血流強度情報移動平均化回路１２′は、血流情報の移動平均化処理を行って出力する。
【００３８】
このような、血流強度情報に基づいた血流判別方法と同様にして、血流分散情報に基づいた血流判別を行い、或いは血流強度情報及び血流分散情報の両者を組み合わせた血流判別を行うことも可能である。
【００３９】
【発明の効果】
本発明は以上のように構成されたので、超音波受信信号について演算したドプラ偏移成分が血流によって或いは生体組織の動きによって生じたものかを判別し、血流によって生じたドプラ偏移成分の場合は血流像として表示し、生体組織の動きによって生じたドプラ偏移成分の場合は血流像として表示しないように制御する手段を設けたことにより、血流によって生じたドプラ偏移成分と生体組織の動きによって生じたドプラ偏移成分とを判別することが可能となり、血流によって生じたドプラ偏移成分のみを血流像として表示することができる。したがって、生体内血流動向の観察が容易となり、診断能を向上することができる。
【図面の簡単な説明】
【図１】本発明による超音波ドプラ血流計の実施の形態を示すブロック図である。
【図２】血流像表示回路系内の血流判別回路系の内部構成を示すブロック図である。
【図３】上記血流判別回路系の動作を説明するタイムチャートである。
【図４】本発明の第二の実施形態を示すブロック図である。
【図５】上記第二の実施形態における血流判別回路系の内部構成を示すブロック図である。
【図６】上記第二の実施形態における血流判別回路系の動作を説明するタイムチャートである。
【符号の説明】
１…探触子
２…超音波送受信回路系
３…断層像表示回路系
４…血流演算回路系
５…血流像表示回路系
６…画像表示器
７…血流像メモリ回路
８…血流判別回路系
９…エンコーダ回路
１０…画像選択回路
１１…血流判別回路
１２…血流強度情報平均化回路
１２′…血流強度情報移動平均化回路
１３…血流速度情報平均化回路
１３′…血流速度情報移動平均化回路
１４…血流分散情報平均化回路
１４′…血流分散情報移動平均化回路
１５ａ，１５ｂ，１５ｃ…ＡＮＤゲート
【図１】
0004331317.tif 000002
【図２】
0004331317.tif 000003
【図３】
0004331317.tif 000004
【図４】
0004331317.tif 000005
【図５】
0004331317.tif 000006
【図６】
0004331317.tif 000007